(57)【要約】サンプル封入システム１０は、固定具と、ベース１２と、入口を有するチャンバー１４と、チャンバーハウジング１６とを備える。ハウジング１６は、内側ハウジング３６及び外側ハウジング３８を含む。チャンバー１４は、内側ハウジング３６に固定されて取り付けられる。ベースと、チャンバー１４と、ハウジング１６とは、互いに対して固定され、固定具に対して可動である。システムは、キャップ７８と、チャンバー入口に係合するようにキャップ７８に動作可能に取り付けられる第１のラム８０とを備える。第２のラム２４は、チャンバー１４の入口とは反対側に位置付けられ、第１のラム８０に対して接近、離反動作する。第２のラム２４は、シリンダーによって駆動される。加熱組立体は、内側ハウジング３６内に位置付けられ、内側ハウジング３６及び外側ハウジング３８によって部分的に画定される冷却ジャケット５０を含む冷却組立体は、マニホールド６０を含む。チャンバー１４、チャンバーハウジング１６およびベース１２は、封入サイクル中にキャップ７８に接近して第１のラム８０をチャンバー入口に係合させ、封入サイクル後にキャップ７８から離反して第１のラム８０をチャンバー入口から離脱させるように移動可能である。冷却システムは、冷却後に自己排水するように真空破壊器６２を備える。
2019500597.tif 000002
【特許請求の範囲】
【請求項１】
ベースと、
入口を有するチャンバーと、
内側ハウジング及び外側ハウジングを含むチャンバーハウジングであって、前記チャンバーが前記内側ハウジング内に少なくとも部分的に固定されて取り付けられており、該チャンバーハウジングは前記固定具及び前記ベースに可動に取り付けられ、前記チャンバー及び前記ハウジングは互いに固定されているチャンバーハウジングと、
キャップと、
前記チャンバー入口に係合するように前記キャップに動作可能に取り付けられる第１のラムと、
前記チャンバーの前記入口とは反対側に位置付けられ、前記第１のラムに対して接近、離反可能に設けられた第２のラムと、
前記内側ハウジング内に少なくとも部分的に位置付けられる加熱組立体と、
前記内側ハウジングと前記外側ハウジングとによって部分的に形成される冷却ジャケットと、マニホールドとを含む冷却組立体とを具備し、
前記チャンバー、前記チャンバーハウジング、及び前記ベースは、封入サイクル中に前記キャップに接近して前記第１のラムを前記チャンバー入口に係合させ、封入サイクルの後に前記キャップから離反して前記第１のラムを前記チャンバー入口から離脱させるように移動可能に設けられているサンプル封入システム。
【請求項２】
前記マニホールドは前記外側ハウジングに取り付けられ、かつ、前記マニホールドは前記冷却ジャケットと流体連通する２つの開口を有しており、前記開口の一方が冷媒排出開口であり、他方の開口が真空解放開口である請求項１に記載のサンプル封入システム。
【請求項３】
前記真空解放開口に取り付けられる真空解放チェック弁を備える請求項２に記載のサンプル封入システム。
【請求項４】
前記内側ハウジングに設けられた複数の貫通ボアを有する請求項１に記載のサンプル封入システム。
【請求項５】
前記貫通ボア内にヒーターが配置されている請求項４に記載のサンプル封入システム。
【請求項６】
前記ヒーターは電気ヒーターであり、前記ベースは、前記ヒーターに延びる導体を収容するように形成されたチャネルを有する請求項５に記載のサンプル封入システム。
【請求項７】
前記内側ハウジングと連通するサーモスタットを備える請求項１に記載のサンプル封入システム。
【請求項８】
サンプル封入システムは、更に、前記外側ハウジングに形成された開口と、前記内側ハウジングに形成されたボアとを有し、前記外側ハウジングの開口及び前記内側ハウジングのボアは互いに位置合わせされるとともに、サーモスタットマウントを収容するように構成されている請求項７に記載のサンプル封入システム。
【請求項９】
前記チャンバー及び前記内側ハウジングは、異なる熱膨張率を有する異なる金属から形成される請求項１に記載のサンプル封入システム。
【請求項１０】
前記内側ハウジングの加熱と、前記チャンバーの冷却との一方又は双方により、前記チャンバーを前記内側ハウジングに嵌合させる請求項９に記載のサンプル封入システム。
【請求項１１】
前記チャンバーは鋼から形成され、前記内側ハウジングはアルミニウムから形成される請求項９に記載のサンプル封入システム。
【請求項１２】
チャンバーと前記内側ハウジングの一方又は双方は機械加工によって形成される請求項９に記載のサンプル封入システム。
【請求項１３】
前記第２のラムは、シリンダーハウジング内に取り付けられるシリンダーによって駆動され、前記ベースと、前記チャンバーと、前記チャンバーハウジングとは、前記シリンダーハウジングに付勢されて取り付けられる請求項１に記載のサンプル封入システム。
【請求項１４】
前記キャップを固定するキャップマウントを備え、該キャップマウントは、前記シリンダーハウジングに固定されて取り付けられる請求項１３に記載のサンプル封入システム。
【発明の詳細な説明】
【技術分野】
【０００１】
［関連出願データの相互参照］
本出願は、２０１５年１２月１日に出願された米国特許仮出願第62/261,634号の利益及び優先権を主張する。この米国特許仮出願は、本願と一体をなすものとして引用する。
【背景技術】
【０００２】
金属組織検査等によるサンプルの検査は複数の準備段階を必要とする。例えば、サンプルを特定のサイズに切断又は分割し、支持材料に埋込又は封入し、検査のために研削及び／又は研磨することが必要となろう。このようなサンプルは、取扱いを容易にするように、また、サンプルとサンプルを埋め込む材料とを区別することが依然として可能であるように埋め込まれる。埋込材料は、通常、フェノール樹脂、フタレート樹脂、エポキシ樹脂、メタクリレート樹脂等を含む熱硬化性樹脂又は熱可塑性樹脂等の樹脂である。このような材料は、イリノイ州レイクブラフ所在のＩＴＷ社の一部門であるBuehlerから市販されている。
【０００３】
埋込を行うには複数の方法が可能である。サンプルを埋め込む１つの方法は、加圧埋込プロセスである。加圧埋込プロセスでは、サンプルを、埋込用化合物とともにチャンバー又は型内に配置する。サンプル及び化合物は、例えば、加熱コイル及び液圧ラムを用いて圧力下で加熱される。設定された温度及び圧力で所定の時間が経過した後に、熱源を型から分離し、冷却流体を型の周囲に循環させ、封入サンプルを冷却する。所定の時間の後、圧力を解放し、サンプルを型から取り出す。
【０００４】
封入サンプル（すなわち、サンプル及び成形化合物）が、圧力の解放及び型からの取出しの前に十分に冷却されていない場合、成形化合物が変形又は収縮する（例えば、サンプルから外れる）可能性がある。これにより、研削等のその後のサンプル準備段階において、サンプルのエッジが摩耗により丸くなってしまう場合があり、これは、その後の金属組織検査を損ない得る。また、十分に冷却されていない場合、封入サンプルの取扱いが困難となる場合がある。
【０００５】
サンプルの封入のための１つのシステムが、本願と同一出願人によるFreson他の米国特許出願公開第2015/0143928号に開示されており、この文献の開示内容は、その全体が引用することによって本明細書の一部をなす。Freson他のシステムは、ベースと、入口を有するチャンバーと、チャンバーが収容されるチャンバーハウジングとを備える。チャンバーは、チャンバーハウジング内に固定されて取り付けられ、チャンバーハウジングは、ベースに対して可動に取り付けられる。このシステムは、キャップと、チャンバー入口に係合するようにキャップに動作可能に取り付けられる第１のラムと、チャンバーの入口とは反対側に位置付けられる第２のラムとを備える。第２のラムは、第１のラムに対して接近、離反可能である。
【０００６】
チャンバー及びハウジングは、封入サイクル中、キャップに接近して第１のラムをチャンバー入口に係合させ、封入サイクル後、キャップから離反して第１のラムをチャンバー入口から離脱させるように移動可能である。
【０００７】
システムは、チャンバーの周りに配置される加熱組立体及び冷却組立体を備える。温度センサーが、チャンバーの内部から遠隔に取り付けられる。遠隔で検知された温度を用いて、この遠隔検知温度によって求められる封入サンプルの予測温度に基づき、遠隔検知温度が設定点温度に達した後の所定の時間に従って、冷却システムの動作を続行又は停止する。
【０００８】
このようなシステムは十分に機能するものの、システム構成要素の製造において、特定の公差が達成可能でない場合があることがわかっている。例えば、チャンバー及びハウジングは、鋳造部品として製造される。その結果、チャンバーとハウジングとの精密な嵌合を達成することが困難となることもある。さらに、鋳造は、望ましいものよりも多くの材料塊並びにより長い加熱及び冷却時間をもたらす結果を生じた。
【０００９】
また、サンプルの取出し後の封入サイクルの開始前にシステムから冷却媒体（水）を適切かつ迅速に排出することができるように、或る特定の構成要素を配置すること、並びに加熱及び冷却にコイルを使用することには、問題が多い可能性があることがわかっている。
【発明の概要】
【発明が解決しようとする課題】
【００１０】
したがって、信頼度の高いチャンバー／ハウジング組立体を備えるサンプル準備又は封入システムが必要である。かかるシステムは、より低質量であり、したがって、加熱及び冷却時間がより少ないことが望ましい。さらに、かかるシステムは、冷却及びサンプルの取出し後かつ後続の封入サイクルの前にシステムから冷媒を円滑に排出する受動冷媒排出システムを組み込んでいることがより望ましい。
【課題を解決するための手段】
【００１１】
サンプル封入システムは、ベースと、入口を有するチャンバーと、チャンバーハウジングとを備える。チャンバーハウジングは、内側ハウジング及び外側ハウジングを含む。チャンバーは、内側ハウジング内に少なくとも部分的に固定されて取り付けられる。ベースと、チャンバーと、ハウジングとは、互いに対して固定される。
【００１２】
システムは、チャンバーを閉鎖するキャップを備える。第１のラムは、チャンバー入口に係合するようにキャップに動作可能に取り付けられる。第２のラムは、チャンバーの入口とは反対側に位置付けられ、第１のラムに対して接近、離反可能である。第２のラムは、液圧シリンダー等のシリンダーによって駆動される。ベースと、チャンバーと、ハウジングとは、シリンダーハウジングに付勢されて取り付けられる。
【００１３】
加熱組立体は、内側ハウジング内に少なくとも部分的に位置付けられる。一実施形態において、内側ハウジングは、複数の貫通ボアを有し、電気ヒーター等のヒーターが、貫通ボア内に配置される。ベースは、ヒーターへと延びる導体を収容するように形成されたチャネルを有することができる。
【００１４】
冷却組立体は、内側ハウジング及び外側ハウジングによって部分的に画定される冷却ジャケットと、外側ハウジングに取り付けられるマニホールドとを含む。マニホールドは、冷却ジャケットと流体連通する２つの開口を有する。開口のうちの一方は、冷媒排出開口であり、他方の開口は、真空解放開口である。真空解放開口には真空解放チェック弁が取り付けられる。
【００１５】
一実施形態において、サーモスタットが、内側ハウジングと連通する。外側ハウジングに開口を形成することができ、内側ハウジングの壁に貫入するが貫通はしないボアを形成することができる。外側ハウジング開口及び内側ハウジングボアは、互いに位置合わせするとともに、サーモスタットマウントを収容するように構成することができる。マウントに配置されたサーモスタットは、内部チャンバー壁のボア内に延在する。導体は、サーモスタットマウントに取り付けられる。
【００１６】
チャンバー及び内側ハウジングは、異なる熱膨張率を有する異なる金属から形成することができる。一実施形態において、内側ハウジングを加熱するか、チャンバーを冷却するか、又はその双方により、チャンバーを内側ハウジングに嵌合させる。チャンバー及び内側ハウジングが周囲温度に戻ると、この２つの部品は互いに対して取り付けられ、コアを形成する。一実施形態において、チャンバーは鋼から形成され、内側ハウジングはアルミニウムから形成される。チャンバー及び内側ハウジングは、機械加工によって形成することができる。
【００１７】
本開示のこれらの特徴及び利点並びに他の特徴及び利点は、添付特許請求の範囲とともに、以下の詳細な説明から明らかになる。
【００１８】
本発明の利益及び利点は、以下の詳細な説明及び添付図面（正：accompanying drawings）を検討した後に当業者に容易に明らかになるであろう。
【図面の簡単な説明】
【００１９】
【図１】係止位置で示されているサンプル準備システムの断面図である。
【図２】図１の図から約９０度の位置をとるとともにシステムのマウントを示す別の断面図である。
【図３】チャンバー並びに冷却入口導管及び冷却出口導管を示す図である。
【図４】ヒーター貫通ボアを示すチャンバーハウジング及びチャンバーの底面図である。
【図５】内側ハウジングの切欠き領域及びヒーターの一例を示す図である。
【図６】ベースの底面図である。
【図７】サーモスタット嵌合取付け開口を示す外側ハウジングの斜視図である。
【図８】外側ハウジングの斜視図である。
【図９】冷却流体入口導管及び冷却流体出口導管が組み付けられた外側ハウジングの斜視図である。
【図１０】冷却流体マニホールドの図である。
【図１１】ベースにおけるチャネル内に配置されるヒーター導体を示すベースの底面図である。
【図１２】サーモスタットが位置付けられるボアを示す内側ハウジングの図である。
【図１３】チャンバーの断面図である。
【図１４Ａ】外側ハウジングの斜視図である。
【図１４Ｂ】外側ハウジングの断面図である。
【図１４Ｃ】外側ハウジングの断面図である。
【図１４Ｄ】外側ハウジングの上面図である。
【図１５Ａ】互いに対して取り付けられたコア組立体の断面図である。
【図１５Ｂ】互いに対して取り付けられたコア組立体の上面図である。
【図１６Ａ】外側ハウジングの斜視図である。
【図１６Ｂ】外側ハウジングの平面図である。
【図１７Ａ】サーモスタットマウントの斜視図である。
【図１７Ｂ】サーモスタットマウントの断面図である。
【図１７Ｃ】サーモスタットマウントの正面図である。
【図１８Ａ】水ジャケットマニホールドの斜視図である。
【図１８Ｂ】水ジャケットマニホールドの背面図である。
【図１８Ｃ】水ジャケットマニホールドの断面図である。
【発明を実施するための形態】
【００２０】
本発明は、種々の形態の実施形態を許すが、本開示が、本装置の例示であると考えられ、示す特定の実施形態に本開示を限定することを意図されないという理解によって、現在のところ好ましい実施形態が図面に示されており、また、以降で述べられるであろう。
【００２１】
ここで、図面、特に図１、２を参照すると、サンプル準備又は封入システム１０が全体的に示されている。システム１０は、概して、ベース１２と、チャンバー１４と、チャンバーハウジング１６と、チャンバーキャップ組立体１８と、制御システム（図示せず）とを備える。
【００２２】
ベース１２は、チャンバーハウジング１６及びチャンバー１４に対する取付けシステムである。ベース１２は、下側ラム２４のシリンダー２２を収容するシリンダーハウジング２０に取り付けられる。ベース１２は、シリンダーハウジング２０に付勢されて取り付けられる。一実施形態において、この付勢取付けは、３点取付けであり、波形ばね２６が、ベース１２とシリンダーハウジング２０との間に配置される。このようにして、ベース１２は（チャンバー１４及びチャンバーハウジング１６とともに）、シリンダーハウジング２０に対して移動する。
【００２３】
システム１０には制御パネル（図示せず）が設けられる。流体コネクタ２８及び電気コネクタ３０は、それぞれハウジング１６及びベース１２へと延び、種々の構成要素に接続する。図１１を簡潔に参照すると、電気接続部３０は、ベース１２のチャネル３２を通って延在し、より詳細に後述するように、ヒーター３４に電力及び制御を与える。
【００２４】
チャンバー１４は、チャンバーハウジング１６内に固定されて取り付けられる。一実施形態において、ハウジング１６は、内側ハウジング３６及び外側ハウジング３８を含む。チャンバー１４及び内側ハウジング３６は、互いに嵌合する機械加工された部品とすることができる。本実施形態では、チャンバー１４は、機械加工された鋼製部品であり、内側ハウジング３６は、機械加工されたアルミニウム製部品である。チャンバー１４は、材料の熱膨張の差を利用することで内側ハウジング３６内に嵌合させる。例えば、チャンバー１４を冷却する（それにより収縮又は緊縮する）か、内側ハウジング３６を加熱する（それにより膨張する）か、又はその双方により、チャンバー１４を内側ハウジング３６内に挿入及び位置決めすることができる。これらの部分は、その後、周囲温度に戻され、それにより、チャンバー１４と内側ハウジング３６との締まり嵌めが達成される。チャンバー／内側ハウジング組立体は、コア又はコア組立体４０と称される。
【００２５】
内側ハウジング３６は、内側ハウジング３６を長手方向に貫通する複数のボア４２を有する。本実施形態では、内側ハウジング３６は、周方向に等しく離間した６つの貫通ボア４２を有する。貫通ボア４２は、封入サイクル中にシステム１０を加熱するように内部に配置される電気ヒーター等のヒーター３４を収容するように構成されている（例えば、図９、１１を参照）。内側ハウジング３６は、中央切欠き領域４８を画定する、外方に延在する一体の上側フランジ４４及び下側フランジ４６を備える。
【００２６】
外側ハウジング３８は、内側ハウジング３６を覆って嵌合し、内側ハウジングの上側フランジ４４及び下側フランジ４６において内側ハウジング３６に取り付けられる。内側ハウジング３６と外側ハウジング３８との間には、空間５０が画定される（内側ハウジング３６の壁から外方に延在する内側ハウジングフランジ４４、４６によって形成される）。空間５０は、より詳細に後述するように、封入サイクルの終了時の冷媒流に適応する冷却ジャケットを形成する。
【００２７】
ハウジング１６及びベース１２は、互いに固定されて取り付けられ、段付きボルト５２等の締結具によってシリンダーハウジング２０に取り付けられる。ハウジング１６及びベース１２は、ボルト５２に沿って、シリンダーハウジング２０に対して接近、離反可能である。したがって、ハウジング１６がシリンダーハウジング２０に対して接近、離反すると、チャンバー１４も同様に、シリンダーハウジング２０に対して接近、離反する。付勢部材２６、例えば、図示の波形ばね（皿ばね）は、ベース１２と、チャンバー１４と、ハウジング１６とを、シリンダーハウジング２０から遠ざけるように付勢する。図示の段付きねじ等のストッパー５４は、ハウジング１６をシリンダーハウジング２０から遠ざけることができる距離を設定することが可能である。
【００２８】
上述のように、ハウジング１６は、冷却システム及び加熱システムの双方を備える。加熱システムは、内側ハウジング３６の貫通ボア４２内における、チャンバー１４を囲む複数の電気加熱コイル３４を含む。冷却システムは、上述のジャケット５０と、冷却流体入口５６及び冷却流体出口５８と、マニホールド６０と、受動（無動力）空気チェック弁６４を含む真空解放組立体６２とを含む。マニホールド６０は、冷却ジャケット５０の頂部の周りにおいて出口５８及び開口６６と流体連通する。
【００２９】
システム１０は、サーモスタット６８と、サーモスタット６８の嵌合取付け体７０とを備え、サーモスタット６８は、一実施形態において、外側ハウジング３８の開口７２を通して挿入され、内側ハウジング３６の隣り合うヒーターボア４２間のボア７４にねじ込まれる。内側ハウジング３６のボア７４は、内側ハウジング３６の壁に貫入するが貫通はしない。サーモスタット嵌合取付け体７０は、冷却システムのマニホールド６０から約１８０度の位置にある。システム１０は、１つ以上の温度センサー（図示せず）を備えることができる。
【００３０】
キャップ組立体１８は、チャンバー１４のベース１２とは反対側の端部に配置されるキャップ取付けプレート７６を備える。取付けプレート７６は、例えば、ポスト又はスペーサー（図示せず）に取り付けることができ、シリンダーハウジング２０に対して固定される。この構成では、ベース１２と、チャンバーハウジング１６と、チャンバー１４とは、取付けプレート７６に対して接近、離反する、すなわち、取付けプレート７６とシリンダーハウジング２０との間で移動する。
【００３１】
キャップ組立体１８は、キャップ７８を備え、キャップ７８及び取付けプレート７６は、キャップ７８を取付けプレート７６に固定するように、バヨネットマウント等の協働する固定組立体を備える。この構成では、キャップ７８は、可動のチャンバーハウジング１６及びチャンバー１４に対して静止した取付けプレート７６に取り付けられることが理解されよう。また、任意のタイプのマウントを用いてキャップ７８を取付けプレート７６に固定することができることと、バヨネットマウントは、用いることができるマウントの１つのタイプの例示であることとが理解されよう。
【００３２】
キャップ７８は、キャップ７８に取り付けられる第１のラム又は上側ラム８０を含む。上側ラム８０は、入口においてチャンバー１４に挿入されて、圧力境界を確立するように構成され、型のキャビティの片側又は一端部を形成する。上側ラム８０は、調整用部材８２によってキャップ７８に取り付けることにより、チャンバー１４における上側ラム８０の着座を適切に調整することができる。上側ラム８０は、チャンバー１４のテーパー壁と適合するテーパー壁を有する。
【００３３】
キャップ７８は、リニア軸受８６に据えられたポスト８４によってシステムに取り付けられ、それにより、キャップ７８を取付けプレート７６に対して接近、離反するように上下させることができる。図示の鋼製巻きばね等の定力ばね８８は、最小の力でキャップ７８を容易に上下させる。ばね８８は、キャップ７８の重量と略等しい力を有することができる。
【００３４】
システム１０は、チャンバー１４において上側ラム８０の反対側に配置される下側ラム２４を備える。本実施形態において、下側ラム２４は、シリンダーハウジング２０内に取り付けられる往復ピストンによって駆動される液圧ラムである。ラム２４は、成形又は封入サイクル時に上側ラム８０に向かって上方に動き、チャンバー１４に装填するため及び封入サンプルの解放時に上側ラム８０から離れるように下方に移動する。
【００３５】
使用の際、サイクルの開始時において、キャップ７８が開放され、チャンバー１４及びハウジング１６から離れるように完全に後退及び回転される。下側ラム２４は、引抜き位置になる。
【００３６】
サンプル及び封入材料をチャンバー１４に導入する。キャップ７８がチャンバー１４及びハウジング１６の上方に位置決めされ、取付けプレート７６上に下降される。次に、キャップ７８を取付けプレート７６に対して係止する。上側ラム８０をチャンバー１４の入口端部に位置決めするが、完全に係合させない。
【００３７】
封入サイクルは、シリンダー２２が作動し、下側ラム２４が上方に移動することで開始する。下側ラム２４が上方に移動すると、チャンバー１４及びハウジング１６に係合するばね２６が、チャンバー１４及びハウジング１６を上方に付勢し、チャンバー１４の入口が上側ラム８０との完全な係合状態に移る。上側ラム８０のテーパーとチャンバー１４のテーパー壁とにより、ラム８０がチャンバー１４内でシールされる。最大約１５０００ポンドの力が、チャンバー１４内へ上側ラム８０に向かって移動する下側ラム２４によって及ぼされる。
【００３８】
次いで、ヒーター３４によってチャンバー１４に熱が印加され、所定の時間にわたり、下側ラム２４によってサンプル及び封入材料に熱及び圧力が及ぼされ、封入材料及びサンプルを融合して封入サンプルを形成する。
【００３９】
加熱及び加圧（封入サイクル）に続いて、加熱システム３４を分離し、冷却システムがサンプルの冷却を開始する。冷却サイクルにおいて、水等の冷却流体を、流体入口５６を通して冷却ジャケット５０に導入する。冷媒は、ジャケット５０を通り、出口５８から流れ出る。
【００４０】
ジャケット５０の頂部における開口６６は、マニホールド６０と流体連通する。したがって、流体がジャケット５０から出口５８を通して排出されるのと同時に、冷媒は、ジャケット開口６６から出て、マニホールド６０を通り、出口５８から流れ出る。
【００４１】
所望の取扱い温度に達すると、冷却システムを分離する。すなわち、冷却流体の流れが止まる。システム１０は、流体を出口５８から出すことで排水を開始する。排水を円滑にするため、及びジャケット５０内にもたらされる真空に打ち勝つために、マニホールド６０は、真空解放組立体６２を備える。本実施形態では、真空解放組立体６２は、マニホールド６０に取り付けられるとともにマニホールド６０と流体連通する真空解放弁又は真空破壊弁６４を備える。ジャケット５０から流体が排出されると、ジャケット５０内に低圧領域が発生し、流体の流出が低減する。例えば、空気チェック弁である真空解放弁６４は、空気が冷却システムに入る（ジャケット５０に入る）ことを可能にし、それにより、冷却システム内の低圧領域を低減又は排除する（例えば、発生し得る真空を排除する）とともに、システムから冷却が自由に流れることを可能にする。このように冷却システムを排水することには、複数の利点があるが、第１には、システムから冷却流体が素早く完全に排出されることで、後続の封入サイクルに向けて封入システム１０の準備ができる。こうして、ヒーター３４は、ハウジング１６／チャンバー１４／サンプルを加熱する際に冷却システム内に残っている可能性がある冷却流体を加熱する必要がなくなる。したがって、後続の封入サイクルを実行するのに必要な時間及びエネルギーが低減される。この無動力又は受動機構は、空気をシステム内に入れることで、排水を円滑にすることを可能にし、システムが冷却流体で満たされると閉鎖又は分離されることが理解されよう。
【００４２】
冷却サイクル中又は冷却サイクル後の所望の時点において、下側ラム２４を引き抜く又は後退させる。ラム２４を後退させる際、ラム２４は、チャンバー１４及びハウジング１６を、シリンダーハウジング２０に向かうとともに上側ラム８０から離れるように、（ばね２６の力に抗して）下方に引っ張る又は付勢する。これにより、キャップ７８がチャンバー１４から容易に取り外され、キャップ７８を開放して封入サンプルを取り出すことができるように、取付けプレート７６からキャップ７８をより簡単に緩めることが容易になる。
【００４３】
Freson他の上述の出願を参照すると、当業者には、制御システムの動作を実現するのに必要なプログラミングが認識され、システム制御部を動作させることができる他の数多くの方法が理解されよう。
【００４４】
本明細書で参照される全ての特許及び特許出願は、本開示のテキスト内で具体的にそのように行われても、行われなくても、引用することにより本明細書の一部をなす。
【００４５】
本開示において、「１つの（"a" or "an"）」という語は、単数及び複数の両方を含むと考えられる。逆に、複数アイテムに対するいずれの参照も、適切である場合、単数を含む。
【００４６】
上側、下側、後方、前方、上部、下部等の相対的な方向用語が説明のためのものに過ぎず、本開示の範囲を制限することを意図されないことが当業者によって理解されるであろう。
【００４７】
上記から、多数の変更及び変形が、本開示の新規な概念の真の趣旨及び範囲から逸脱することなく行われよう。示された特定の実施形態に関して制限が全く意図されないか又は推測されるべきでないことが理解されよう。本開示は、その範囲内に入る全てのそのような変更をカバーすることを意図される。
【符号の説明】
【００４８】
１０    封入システム
１２    ベース
１４    チャンバー
１６    チャンバーハウジング
１８    チャンバーキャップ組立体
２０    シリンダーハウジング
２２    シリンダー
２４    下側ラム
２６    付勢部材
２８    流体コネクタ
３０    電気接続部
３２    チャネル
３４    ヒーター
３６    内側ハウジング
３８    外側ハウジング
４０    コア組立体
４２    貫通ボア
４４    上側フランジ
４６    下側フランジ
４８    領域
５０    ジャケット
５２    ボルト
５４    ストッパー
５６    冷却流体入口
５８    冷却流体出口
６０    マニホールド
６２    真空解放組立体
６４    真空解放弁
６６    ジャケット開口
６８    サーモスタット
７２    開口
７４    ボア
７６    プレート
７８    キャップ
８０    上側ラム
８２    調整用部材
８４    ポスト
８６    リニア軸受
【図１】
2019500597.tif 000003
【図２】
2019500597.tif 000004
【図３】
2019500597.tif 000005
【図４】
2019500597.tif 000006
【図５】
2019500597.tif 000007
【図６】
2019500597.tif 000008
【図７】
2019500597.tif 000009
【図８】
2019500597.tif 000010
【図９】
2019500597.tif 000011
【図１０】
2019500597.tif 000012
【図１１】
2019500597.tif 000013
【図１２】
2019500597.tif 000014
【図１３】
2019500597.tif 000015
【図１４Ａ】
2019500597.tif 000016
【図１４Ｂ】
2019500597.tif 000017
【図１４Ｃ】
2019500597.tif 000018
【図１４Ｄ】
2019500597.tif 000019
【図１５Ａ】
2019500597.tif 000020
【図１５Ｂ】
2019500597.tif 000021
【図１６Ａ】
2019500597.tif 000022
【図１６Ｂ】
2019500597.tif 000023
【図１７Ａ】
2019500597.tif 000024
【図１７Ｂ】
2019500597.tif 000025
【図１７Ｃ】
2019500597.tif 000026
【図１８Ａ】
2019500597.tif 000027
【図１８Ｂ】
2019500597.tif 000028
【図１８Ｃ】
2019500597.tif 000029
【国際調査報告】
2019500597.tif 000030
2019500597.tif 000031
2019500597.tif 000032